(57)【要約】【課題】高精度な調芯を可能としつつ塵埃が入り込むことを防止することのできるレンズ鏡胴を提供する。【解決手段】第１のレンズ群（１１）を保持する第１のレンズ保持部材（３０）と、第２のレンズ群（１２）を保持する第２のレンズ保持部材（４０）と、第２のレンズ保持部材に対する第１のレンズ保持部材の位置の調整を可能とする調整機構５０と、を備えるレンズ鏡胴１０である。第２のレンズ保持部材の第１面（４０ｃ）には、第２のレンズ群を取り巻く位置において撮影光軸ＯＡ方向で第１のレンズ保持部材に接する少なくとも３つの位置決め部４１と、撮影光軸ＯＡに直交する面上で見て３つの位置決め部を取り囲む全周に渡り第１面に取り付けられたシート部材２５と、が設けられ、シート部材２５は、撮影光軸ＯＡ方向で見て調整機構と第１面との間において、第１のレンズ群を取り囲む全周に渡り撮影光軸ＯＡ方向で第１のレンズ保持部材に押し当てられている。【選択図】図２
2013061513.tif 000002
【特許請求の範囲】
【請求項１】
１枚以上のレンズからなる第１のレンズ群と、該第１のレンズ群をその光軸を中心とする回転方向で取り巻いて保持する第１のレンズ保持部材と、前記第１のレンズ群と並列され１枚以上のレンズからなる第２のレンズ群と、該第２のレンズ群をその光軸を中心とする回転方向で取り巻いて撮影光軸上で保持する第２のレンズ保持部材と、該第２のレンズ保持部材から見て前記第１のレンズ群側に設けられ前記撮影光軸に直交する方向での前記第２のレンズ保持部材に対する前記第１のレンズ保持部材の位置の調整を可能とする調整機構と、を備えるレンズ鏡胴であって、
前記第２のレンズ保持部材には、前記第１のレンズ群側の第１面に、前記第２のレンズ群を取り巻く位置において前記撮影光軸方向で前記第１のレンズ保持部材に接する少なくとも３つの位置決め部と、前記撮影光軸に直交する面上で見て３つの前記位置決め部を取り囲む全周に渡り前記第１面に取り付けられたシート部材と、が設けられ、
該シート部材は、前記撮影光軸方向で見て前記調整機構と前記第１面との間において、前記第１のレンズ群を取り囲む全周に渡り前記撮影光軸方向で前記第１のレンズ保持部材に押し当てられていることを特徴とするレンズ鏡胴。
【請求項２】
前記シート部材は、前記撮影光軸に直交する方向で見て、外側となる外側縁部が前記第１面に取り付けられ、かつ内側となる内側縁部が前記第１のレンズ保持部材に押し当てられていることを特徴とする請求項１に記載のレンズ鏡胴。
【請求項３】
前記第１のレンズ保持部材の外周面には、全周に渡り前記撮影光軸に直交する方向へ突出するフランジ部が設けられ、
該フランジ部には、外縁において、全周に渡り前記撮影光軸方向へと突出する突出縁部分が設けられ、
前記シート部材は、前記突出縁部分に押し当てられていることを特徴とする請求項１または請求項２に記載のレンズ鏡胴。
【請求項４】
前記突出縁部分は、前記撮影光軸方向で見て前記調整機構側へ向けて突出され、
前記シート部材は、前記撮影光軸方向で見て前記第１面側へ向けて前記突出縁部分に押し当てられていることを特徴とする請求項３に記載のレンズ鏡胴。
【請求項５】
前記シート部材は、前記第２のレンズ群と前記第２のレンズ保持部材との重量よりも大きな力で、前記突出縁部分に押し当てられていることを特徴とする請求項４に記載のレンズ鏡胴。
【請求項６】
請求項１から請求項４のいずれか１項に記載のレンズ鏡胴であって、
さらに、前記撮影光軸を含む撮影開口が設けられた環状を呈し、前記撮影光軸方向で見て前記調整機構および前記第１のレンズ保持部材を介在させつつ前記第２のレンズ保持部材に固定されたカバー部材と、
該カバー部材と前記第１のレンズ保持部材との間に設けられ、前記撮影光軸方向に沿って前記第１のレンズ保持部材を前記位置決め部へ向けて押す軸方向弾性部材と、を備えることを特徴とするレンズ鏡胴。
【請求項７】
前記第１のレンズ群は、最も被写体側に配置される対物レンズを含み、
前記カバー部材には、前記第２のレンズ保持部材に対する前記第１のレンズ保持部材の位置を調整すべく被写体側から前記調整機構への接触を可能とする調整穴が設けられていることを特徴とする請求項６に記載のレンズ鏡胴。
【請求項８】
前記カバー部材には、前記調整穴を覆う被覆板が被写体側に取り付けられていることを特徴とする請求項７に記載のレンズ鏡胴。
【請求項９】
前記軸方向弾性部材は、前記調整機構による前記第２のレンズ保持部材に対する前記第１のレンズ保持部材の位置を調整した後に、前記調整穴を介して取り外すことが可能であることを特徴とする請求項７または請求項８に記載のレンズ鏡胴。
【請求項１０】
前記調整機構は、前記撮影光軸に沿う回転中心に対する外周面の位置が回転方向で漸次変化する２つの偏芯カムと、該各偏芯カムの外周面に前記第１のレンズ保持部材の外周面を押し当てるべく該第１のレンズ保持部材に前記撮影光軸に直交する方向の力を付与する径方向弾性部材と、を有することを特徴とする請求項１から請求項９のいずれか１項に記載のレンズ鏡胴。
【請求項１１】
請求項１から請求項１０のいずれか１項に記載のレンズ鏡胴を用いることを特徴とする撮像装置。
【発明の詳細な説明】
【技術分野】
【０００１】
本発明は、複数のレンズを保持するレンズ鏡胴に関し、特に、レンズ間での調芯を容易なものとするレンズ鏡胴に関する。
【背景技術】
【０００２】
近年、デジタルカメラ等の撮影装置では、撮影画像の高画質化が求められている。この高画質化への要求を満たすために、光学系に使用するレンズ枚数を増加することが考えられている。ここで、高画質化への要求を満たすためには、レンズ鏡胴内において、光学系の撮影光軸に直交する方向で見た各レンズ相互の位置を、光学系としての設定に応じた所定の位置とする、いわゆる各レンズ相互の調芯を高精度に行う必要がある。
【０００３】
このため、撮影光軸に直交する方向で見た支持位置の調整を可能とする３つの調芯ピンを鏡筒に設け、その３つの調芯ピンで対物レンズを保持する環状部を支持する構成のレンズ鏡胴が既に知られている（特許文献１参照）。このレンズ鏡胴では、３つの調芯ピンによる支持位置を適宜調整することにより、鏡筒に対する環状部、すなわち鏡筒に保持された他のレンズに対する対物レンズの撮影光軸に直交する方向での位置を調整することができる。
【発明の概要】
【発明が解決しようとする課題】
【０００４】
しかしながら、上記した従来のレンズ鏡胴では、対物レンズを保持する環状部を、鏡筒に対して移動可能に３つの調芯ピンで支持する構成であることから、その３つの支持点以外の箇所では鏡筒と環状部との間に隙間が生じてしまうので、鏡筒に保持された他のレンズと対物レンズとの間に塵埃が入り込んでしまう虞がある。このような塵埃は、レンズ鏡胴（特に対物レンズ）の外観品質の低下を招くとともに、取得する画像に影を生じさせてしまうことから画像品質の低下を招いてしまう。
【０００５】
本発明は、上記の事情に鑑みて為されたもので、高精度な調芯を可能としつつ塵埃が入り込むことを防止することのできるレンズ鏡胴を提供することを目的とする。
【課題を解決するための手段】
【０００６】
請求項１に記載のレンズ鏡胴は、１枚以上のレンズからなる第１のレンズ群と、該第１のレンズ群をその光軸を中心とする回転方向で取り巻いて保持する第１のレンズ保持部材と、前記第１のレンズ群と並列され１枚以上のレンズからなる第２のレンズ群と、該第２のレンズ群をその光軸を中心とする回転方向で取り巻いて撮影光軸上で保持する第２のレンズ保持部材と、該第２のレンズ保持部材から見て前記第１のレンズ群側に設けられ前記撮影光軸に直交する方向での前記第２のレンズ保持部材に対する前記第１のレンズ保持部材の位置の調整を可能とする調整機構と、を備えるレンズ鏡胴であって、前記第２のレンズ保持部材には、前記第１のレンズ群側の第１面に、前記第２のレンズ群を取り巻く位置において前記撮影光軸方向で前記第１のレンズ保持部材に接する少なくとも３つの位置決め部と、前記撮影光軸に直交する面上で見て３つの前記位置決め部を取り囲む全周に渡り前記第１面に取り付けられたシート部材と、が設けられ、該シート部材は、前記撮影光軸方向で見て前記調整機構と前記第１面との間において、前記第１のレンズ群を取り囲む全周に渡り前記撮影光軸方向で前記第１のレンズ保持部材に押し当てられていることを特徴とする。
【発明の効果】
【０００７】
請求項１に記載のレンズ鏡胴では、高精度な調芯を可能としつつ塵埃が入り込むことを防止することができる。
【図面の簡単な説明】
【０００８】
【図１】本発明に係る撮像装置の一例としてのデジタルカメラ１を示す斜視図である。
【図２】デジタルカメラ１に搭載されたレンズ鏡胴１０の構成を模式的な断面で示す説明図である。
【図３】第１レンズ保持枠３０および調整機構５０が設けられた第２レンズ保持枠４０を、被写体側から撮影光軸ＯＡ方向で見た様子を示す説明図である。
【図４】被写体側から撮影光軸ＯＡ方向で見た第２レンズ保持枠４０を示す説明図である。
【図５】第２レンズ保持枠４０を模式的に示す斜視図である。
【図６】被写体側から撮影光軸ＯＡ方向で見た第１レンズ保持枠３０を示す説明図である。
【図７】第１レンズ保持枠３０を模式的に示す斜視図である。
【図８】第２レンズ保持枠４０に、第１レンズ保持枠３０およびシート部材２５が取り付けられる様子を模式的に示す説明図である。
【図９】第２レンズ保持枠４０に、第１レンズ保持枠３０およびシート部材２５が取り付けられた様子を示す被写体側から撮影光軸ＯＡ方向で見た説明図である。
【図１０】第２レンズ保持枠４０に、第１レンズ保持枠３０およびシート部材２５が取り付けられた様子を模式的に示す斜視図である。
【図１１】レンズ鏡胴１０Ｂにおける第２レンズ保持枠４０よりも被写体側を拡大しつつ模式的な断面で示す説明図である。
【図１２】突出縁部分３３Ｂが設けられたレンズ鏡胴１０Ｂを示す図１１と同様の説明図である。
【図１３】レンズ鏡胴１０Ｃを被写体側から見た図３と同様の説明図であり、
【図１４】レンズ鏡胴１０Ｃの構成を図１３のII−II線に沿って得られて断面で示す説明図である。
【発明を実施するための形態】
【０００９】
以下に、本発明に係るレンズ鏡胴の各実施例について図面を参照しつつ説明する。
【実施例１】
【００１０】
本発明に係るレンズ鏡胴の一実施例としてのレンズ鏡胴１０の概略的な構成を、図１から図１０を用いて説明する。
【００１１】
まず、レンズ鏡胴１０を有する撮像装置の一例としてのデジタルカメラ１を、図１および図２を用いて説明する。デジタルカメラ１は、図１および図２に示すように、筐体２の前面側に撮影光学系３を有するレンズ鏡胴１０が設けられている。
【００１２】
また、デジタルカメラ１の上面側には、電源ボタン４、レリーズボタン５、モード切替ダイアル６が設けられている。電源ボタン４は、デジタルカメラ１全体を起動するものである。レリーズボタン５は、被写体を撮影する際に押圧する押圧操作部材である。モード切替ダイアル６は、各種のシーンモード、静止画モード、動画モード等を設定するものである。
【００１３】
デジタルカメラ１では、レリーズボタン５の押圧操作により、撮影光学系３を通して後述する撮像素子１６（図２参照）の受光面に受光した被写体像の画像データが記録処理される。撮影光学系３は、本実施例では、後述するように、４群構成とされている（図２参照）。
【００１４】
レンズ鏡胴１０では、光学装置として、図２に示すように、第１レンズ群１１、第２レンズ群１２、第３レンズ群１３、第４レンズ群１４、シャッタ／絞りユニット１５、撮像素子１６、カバーガラス１７、を具備している。この光学装置は、物体側（被写体側）から第１レンズ群１１、第２レンズ群１２、第３レンズ群１３および第４レンズ群１４が順次配列されるとともに、第２レンズ群１２と第３レンズ群１３との間にシャッタ／絞りユニット１５が挿入配置される。この第４レンズ群１４の像面側には、ＣＣＤ（電荷結合素子）等を用いて構成される撮像素子１６と、その受光面を覆うカバーガラス１７と、が配置される。撮像素子１６は、図示を略す基板に実装され、その基板とともにベース部材１８に設けられている。カバーガラス１７は、撮像素子１６の受光面に設けられている。その基板は、図示は略すが、電子部品が実装されて電子回路部を構成している。
【００１５】
第１レンズ群１１は、１枚以上のレンズからなる。この第１レンズ群１１は、それらを一体的に保持する第１レンズ保持枠３０に固定保持されている。この第１レンズ保持枠３０は、調整機構５０により第２レンズ保持枠４０に対して撮影光軸ＯＡに直交する方向へと移動可能に、その第２レンズ保持枠４０に支持されている。この第１レンズ保持枠３０およびその支持の構成については、後に詳細に説明する。
【００１６】
第２レンズ群１２は、１枚以上のレンズからなる。この第２レンズ群１２は、それらを一体的に保持する第２レンズ保持枠４０に保持されている。このため、実施例１では、第１レンズ群１１が第１のレンズ群として機能し、第１レンズ保持枠３０が第１のレンズ保持部材として機能している。また、実施例１では、第２レンズ群１２が第２のレンズ群として機能し、第２レンズ保持枠４０が第２のレンズ保持部材として機能している。この第２レンズ保持枠４０は、第３レンズ保持枠２１に固定されている。この第３レンズ保持枠２１への固定は、接着によるものであってもよく、固定冶具を用いるものであってもよい。実施例１では、第２レンズ保持枠４０は、図示を略すネジにより第３レンズ保持枠２１の被写体側の端面２１ａに固定されている。この第２レンズ保持枠４０の構成については、後に詳細に説明する。
【００１７】
第３レンズ群１３は、１枚以上のレンズからなる。また、第４レンズ群１４は、１枚以上のレンズからなる。この第３レンズ群１３および第４レンズ群１４は、それぞれ一体的に第３レンズ保持枠２１に保持されている。この第３レンズ群１３および第４レンズ群１４の保持方法は、圧入によるものやカシメによるもの等があるが、実施例１では図示は略すが接着剤を用いて接着によるものとしている。
【００１８】
シャッタ／絞りユニット１５は、シャッタおよび開口絞りを含むものである。このシャッタ／絞りユニット１５は、第３レンズ保持枠２１に固定保持されている。これら第１レンズ群１１から第４レンズ群１４（シャッタ／絞りユニット１５を含む）は、固定焦点距離レンズあるいは焦点距離可変のズームレンズとしての撮影光学系３（図１参照）を構成する。この撮影光学系３の結像位置に、上述した撮像素子１６（電子回路部）が配置される。この明細書では、撮影光学系３における光学的な軸線、すなわち第１レンズ群１１から第４レンズ群１４の中心軸位置となる回転対称軸を、撮影光学系３すなわちレンズ鏡胴１０の撮影光軸ＯＡとする。
【００１９】
そのレンズ鏡胴１０では、撮像素子１６が設けられたベース部材１８に固定筒２２が設けられている。この固定筒２２は、全体に円筒形状を呈し、ベース部材１８に固定されている。固定筒２２の内周面には、案内溝２２ａが設けられている。案内溝２２ａは、撮影光軸ＯＡに直交する面に沿って設けられ、環状を呈する。この固定筒２２の内周に回転筒２３が回転可能に嵌め入れられている。
【００２０】
回転筒２３は、全体に円筒形状を呈する。この回転筒２３の外周面には、キー部２３ａが設けられている。キー部２３ａは、回転中心から放射方向へ向けて（以下、径方向ともいう）基端部から突出形成され、固定筒２２の案内溝２２ａに挿入されている。このキー部２３ａは、撮影光軸ＯＡ方向で見て案内溝２２ａとベース部材１８とに干渉するとともに、撮影光軸ＯＡを中心とする回転方向で見てそれらと相対的に滑ることが可能とされている。このような構成により、回転筒２３と固定筒２２とは、撮影光軸ＯＡ（撮影光路）方向への相対的な移動が防止されつつ、撮影光軸ＯＡ回りに相対的な回転移動が可能とされている。このため、回転筒２３は、ベース部材１８に対して、撮影光軸ＯＡ（撮影光路）方向の位置を固定したまま、撮影光軸ＯＡ回りの回転が可能とされている。
【００２１】
また、このキー部２３ａは、外周面が歯車状のギア２３ｂとされている。そのギア２３ｂは、駆動装置２４の伝達ギア２４ａに噛み合わされている。その駆動装置２４は、明確な図示は略すがベース部材１８（固定筒２２）に固定されて設けられており、伝達ギア２４ａに加えて、駆動源としてのモータ２４ｂと、その出力軸２４ｃに設けられた出力ギア２４ｄとを有する。駆動装置２４は、図示を略す制御部の制御下でモータ２４ｂが駆動されることにより、その出力軸２４ｃおよび出力ギア２４ｄを介して、駆動力が伝達ギア２４ａに伝達される。このため、回転筒２３は、駆動装置２４からの駆動力が、その伝達ギア２４ａからキー部２３ａへと伝達されることにより、固定筒２２に対して回転駆動される。
【００２２】
その回転筒２３の内周面には、カム溝２３ｃが形成されている。このカム溝２３ｃは、図示は略すが、撮影光軸ＯＡを中心とする回転方向での位置の変化に伴って、撮影光軸ＯＡ方向での位置を適宜変化させて形成されている。カム溝２３ｃは、後述する第３レンズ保持枠２１のカムフォロア２１ｃを干渉可能に受け入れることが可能とされている。この回転筒２３の内周に第３レンズ保持枠２１が回転可能に嵌め入れられている。
【００２３】
その第３レンズ保持枠２１は、全体に円筒形状を呈し、軸線方向（撮影光軸ＯＡ方向に等しい）で見た中間位置に、内径寸法を小さくする鍔部２１ｂが設けられている。第３レンズ保持枠２１では、鍔部２１ｂの前方側（物体側）の空間でシャッタ／絞りユニット１５を収容保持し、鍔部２１ｂの内方の空間で第３レンズ群１３を収容保持し、鍔部２１ｂの後方側（像面側）の空間で第４レンズ群１４を収容保持している。この第３レンズ群１３および第４レンズ群１４と、シャッタ／絞りユニット１５とは、互いの軸線が第３レンズ保持枠２１の軸線上に存在するもの、すなわち撮影光軸ＯＡと一致するものとされている。
【００２４】
この第３レンズ保持枠２１の外周面には、カムフォロア２１ｃが設けられている。そのカムフォロア２１ｃは、外周面から突設されており、回転筒２３のカム溝２３ｃに干渉可能に挿入されている。また、第３レンズ保持枠２１では、図示は略すが、撮影光軸ＯＡ方向に沿って設けられた直進溝に、直進ガイドがスライド移動可能に挿入されている。この直進ガイドは、図示は略すが、ベース部材１８から第３レンズ保持枠２１と回転筒２３との間へと撮影光軸ＯＡに伸びて設けられている。このため、第３レンズ保持枠２１は、ベース部材１８すなわちそこに固定された固定筒２２に対して、撮影光軸ＯＡ（撮影光路）方向への移動（直進移動）が可能とされているとともに、撮影光軸ＯＡ回りの回転が防止されている。これにより、第３レンズ保持枠２１は、固定筒２２に対して回転駆動される回転筒２３の回転姿勢に応じて、カムフォロア２１ｃが挿入された回転筒２３のカム溝２３ｃのカム軌跡に倣うように、ベース部材１８（固定筒２２）に対して撮影光軸ＯＡ（撮影光路）方向に直進移動される。
【００２５】
このレンズ鏡胴１０では、駆動装置２４からの駆動力で回転筒２３が固定筒２２に対して回転駆動されることにより、第３レンズ保持枠２１（そこに設けられた第１レンズ保持枠３０および第２レンズ保持枠４０）が撮影光軸ＯＡで適宜移動され、所定の撮影待機位置（撮影光学系３が撮像素子１６上に焦点を結ぶ位置）と、所定の収納位置（第３レンズ保持枠２１が最も撮像素子１６側とされる位置）と、の間で移動（繰り出し）可能とされている。また、レンズ鏡胴１０では、撮影待機位置において、第３レンズ保持枠２１を撮影光軸ＯＡ方向に微小に移動されることにより、撮像素子１６上での結像状態を調節するいわゆるフォーカス動作を行うことが可能とされている。
【００２６】
次に、本発明に係るレンズ鏡胴１０の特徴部分の概略的な構成を、図２から図１０を用いて説明する。図３は、第１レンズ保持枠３０および調整機構５０が設けられた第２レンズ保持枠４０を、被写体側から撮影光軸ＯＡ方向で見た様子を示す説明図である。図４は、被写体側から撮影光軸ＯＡ方向で見た第２レンズ保持枠４０を示す説明図である。図５は、第２レンズ保持枠４０を模式的に示す斜視図である。図６は、被写体側から撮影光軸ＯＡ方向で見た第１レンズ保持枠３０を示す説明図である。図７は、第１レンズ保持枠３０を模式的に示す斜視図である。図８は、第２レンズ保持枠４０に、第１レンズ保持枠３０およびシート部材２５が取り付けられる様子を模式的に示す説明図である。図９は、第２レンズ保持枠４０に、第１レンズ保持枠３０およびシート部材２５が取り付けられた様子を示す被写体側から撮影光軸ＯＡ方向で見た説明図である。図１０は、第２レンズ保持枠４０に、第１レンズ保持枠３０およびシート部材２５が取り付けられた様子を模式的に示す斜視図である。なお、図２は、図３のＩ−Ｉ線に沿って得られた断面に相当するものである。この図２では、理解容易のために、２つの位置決め部４１（その先端面４１ａ）に第１レンズ保持枠３０が接触している様子を図示しているが、実際の構成と必ずしも一致するものではない。
【００２７】
レンズ鏡胴１０では、図２および図３に示すように、第３レンズ保持枠２１の端面２１ａに固定される第２レンズ保持枠４０の被写体側に、第１レンズ保持枠３０とシート部材２５と調整機構５０とカバー部材２６（図２参照）とが設けられる。
【００２８】
その第２レンズ保持枠４０は、図４および図５に示すように、全体に円板形状を呈し、その軸線を中心とする保持穴４０ａを有する。この保持穴４０ａは、第２レンズ群１２を一体的に保持する。この第２レンズ群１２の保持方法は、圧入によるものやカシメによるもの等があるが、実施例１では図示は略すが接着剤を用いて接着によるものとしている。このため、第２レンズ保持枠４０では、軸線に第２レンズ群１２の光軸を一致させて、その第２レンズ群１２を一体的に保持している。この第２レンズ保持枠４０は、その軸線（第２レンズ群１２の光軸）を、第３レンズ保持枠２１の軸線（第３レンズ群１３および第４レンズ群１４の光軸）に一致させて、その第３レンズ保持枠２１の端面２１ａに固定されて設けられる。このため、第２レンズ保持枠４０の軸線は、撮影光軸ＯＡに沿うものとされる。ここで、第２レンズ保持枠４０において、端面２１ａに固定される側の面を裏面４０ｂ（図２参照）として、軸線方向で見たその反対側であって被写体側の面を表面４０ｃとする。この表面４０ｃは、実施例１では、第１のレンズ群としての第１レンズ群１１側の面となる第１面となる。この第２レンズ保持枠４０では、表面４０ｃに、３つの位置決め部４１と、２つの台座部４２と、そこに設けられた取付軸部４３と、環状壁部４４と、取付突起部４５と、を有する。
【００２９】
各位置決め部４１は、表面４０ｃ側において、第２レンズ保持枠４０に対する第１レンズ保持枠３０の位置および姿勢を規定するものである。この各位置決め部４１は、保持穴４０ａすなわち第２レンズ群１２を、その軸線（撮影光軸ＯＡ）を中心とする回転方向で取り巻いて設けられており、実施例１では、当該回転方向で見て互いに等しい間隔でかつ軸線（撮影光軸ＯＡ）を中心とする放射方向（以下、径方向ともいう）で見て等しい距離で配置されている。各位置決め部４１は、表面４０ｃから撮影光軸ＯＡ方向に沿って突出された円柱状を呈し、表面４０ｃからの高さ寸法が互いに等しいものとされている。このため、３つの位置決め部４１の先端面４１ａは、径方向で見て軸線（撮影光軸ＯＡ）から等しい距離であって、軸線方向で互いに等しい高さ位置に存在している。この各位置決め部４１よりも径方向での外側に２つの台座部４２が設けられている。
【００３０】
その両台座部４２は、後述するように表面４０ｃ側において調整機構５０を構成するものである。両台座部４２は、取付突起部４５から撮影光軸ＯＡへと向かう方向に関して、略線対称となる位置関係とされている。この両台座部４２は、表面４０ｃから撮影光軸ＯＡ方向に沿って突出された円柱状を呈する。両台座部４２は、表面４０ｃからの高さ寸法が互いに等しいものとされており、３つの位置決め部４１よりも大きな高さ寸法とされている。この両台座部４２の先端面４２ａは、撮影光軸ＯＡに直交する平坦面とされている。この各台座部４２の先端面４２ａに取付軸部４３が設けられている。
【００３１】
その各取付軸部４３は、後述するように表面４０ｃ側において両台座部４２と協働して調整機構５０を構成するものである。各取付軸部４３は、対応する台座部４２の先端面４２ａから撮影光軸ＯＡ方向に沿って突出された円柱状を呈し、台座部４２よりも小さな径寸法であってその台座部４２と等しい軸線を有するものとされている。その各取付軸部４３が設けられた２つの台座部４２よりも径方向での内側に環状壁部４４が設けられている。
【００３２】
その環状壁部４４は、後述するように表面４０ｃ側において封止機構を構成するものである。環状壁部４４は、径方向で見て、２つの台座部４２の内側において、第２レンズ群１２（保持穴４０ａ）および３つの位置決め部４１を撮影光軸ＯＡを中心とする周方向で切れ目なく取り囲むように、表面４０ｃから撮影光軸ＯＡ方向に沿って突出されて形成されている。この環状壁部４４は、実施例１では、撮影光軸ＯＡ方向で見て、撮影光軸ＯＡを中心として２つの台座部４２上を通る円形状を呈し、その両台座部４２が設けられた箇所にあってはその外周面に沿って内側に湾曲する形状の湾曲箇所４４ａとされている。環状壁部４４は、表面４０ｃからの高さ寸法が全周に渡って等しいものとされており、３つの位置決め部４１よりも大きな高さ寸法であって２つの台座部４２よりも小さな高さ寸法とされている。この環状壁部４４の先端面４４ｂは、撮影光軸ＯＡに直交する平坦面とされている。環状壁部４４よりも径方向での外側に取付突起部４５が設けられている。
【００３３】
その取付突起部４５は、後述するように表面４０ｃ側において両台座部４２および各取付軸部４３と協働して調整機構５０を構成するものである。取付突起部４５は、表面４０ｃにおいて、撮影光軸ＯＡから見て両台座部４２の位置関係を略線対称とする方向（直線）上であって、外縁部に設けられている。取付突起部４５は、表面４０ｃから撮影光軸ＯＡ方向に沿って突出されて形成されている。この取付突起部４５は、表面４０ｃからの高さ寸法が、少なくとも２つの台座部４２とそれぞれの取付軸部４３とを合わせた高さ寸法よりも大きな高さ寸法とされている。この第２レンズ保持枠４０の表面４０ｃに、第１レンズ保持枠３０が設けられる。
【００３４】
その第１レンズ保持枠３０は、図６および図７に示すように、保持筒部３１とフランジ部３２とを有する。その保持筒部３１は、全体に円筒形状を呈し、その内方で第１レンズ群１１を一体的に保持する。この第１レンズ群１１の保持方法は、圧入によるものやカシメによるもの等があるが、実施例１では図示は略すが接着剤を用いて接着によるものとしている。このため、第１レンズ保持枠３０では、保持筒部３１の軸線に第１レンズ群１１の光軸を一致させて、その第１レンズ群１１を一体的に保持している。
【００３５】
フランジ部３２は、その保持筒部３１の一端部３１ａ（図７参照）に設けられている。そのフランジ部３２は、保持筒部３１の一端部３１ａにおける外周面３１ｂ（図７参照）から、保持筒部３１（第１レンズ保持枠３０）の軸線を中心とする放射方向（以下、径方向ともいう）の外側へ向けて全周に渡り突出されて形成されている。フランジ部３２は、軸線に直交する面でみて、第２レンズ保持枠４０の環状壁部４４よりも小さな外径寸法とされている。このフランジ部３２は、第２レンズ保持枠４０の表面４０ｃ（その各位置決め部４１）に当てられる側を裏面３２ａ（図２参照）とし、軸線方向で見たその反対側であって被写体側となる表面３２ｂとして、裏面３２ａと表面３２ｂとが軸線に直交する平坦面とされている。フランジ部３２では、軸線に直交する面に沿う方向で見て、フランジ部３２の外周縁を内方に凹ませる２つの切欠箇所３２ｃが設けられている。この両切欠箇所３２ｃは、環状壁部４４の２つの湾曲箇所４４ａに対応して設けられた円形状を呈し、対応する湾曲箇所４４ａよりも大きな曲率半径（小さな曲率）とされている。
【００３６】
このフランジ部３２は、第２レンズ保持枠４０の環状壁部４４と所定の間隔を置きつつその環状壁部４４内方に挿入することが可能とされている。この所定の間隔は、環状壁部４４の内方において第１レンズ保持枠３０が撮影光軸ＯＡに直交する方向へと移動することのできる範囲を規定することとなるので、撮影光軸ＯＡに直交する方向での第２レンズ保持枠４０に対する第１レンズ保持枠３０の調整代、すなわち第２レンズ群１２に対する第１レンズ群１１の調整代となる。この所定の間隔（調整代）は、撮影光学系３における光学的な設定や各部材の公差等を考慮して適宜設定すればよく、実施例１では０．１ｍｍ〜０．５ｍｍに設定している。
【００３７】
このフランジ部３２の表面３２ｂには、突出縁部分３３が設けられている。この突出縁部分３３は、フランジ部３２の表面３２ｂの外縁において、その全周に渡って切れ目なく軸線方向の被写体側（保持筒部３１における他端側）へ向けて突出して設けられている。突出縁部分３３は、実施例１では、その突出端３３ａが曲面状とされている（図２等参照）。この突出縁部分３３は、軸線方向で見た高さ寸法が、後述するような所定の押し当て力を確保することを可能とする観点から、シート部材２５の性質および第２レンズ保持枠４０の環状壁部４４の高さ寸法と併せて設定されている。この高さ寸法の設定については後述する。この突出縁部分３３では、フランジ部３２の外縁で全周に渡って設けられていることから、その２つの切欠箇所３２ｃに倣って２つの湾曲箇所３３ｂが設けられている。このフランジ部３２を有する第１レンズ保持枠３０と第２レンズ保持枠４０との間にシート部材２５が設けられる。
【００３８】
そのシート部材２５は、図８に示すように、環状の薄板状を呈する。シート部材２５は、第１レンズ保持枠３０の表面３２ｂ（その突出縁部分３３）および第２レンズ保持枠４０の表面４０ｃ（その各位置決め部４１）に当てられる側を裏面２５ａ（図２参照）とし、軸線方向で見たその反対側であって被写体側となる表面２５ｂとして、裏面２５ａと表面２５ｂとが軸線に直交する平坦面とされている。そのシート部材２５は、後述するような所定の押し当て力を確保することのできる弾性変形が可能であって、第１レンズ保持枠３０の突出縁部分３３（その突出端３３ａ）と相対的に滑ることを可能とする部材で形成されている。このような部材としては、表面が平滑なＰＥＴ（ポリエチレンテレフタレート）フィルムやゴム材料等があげられる。シート部材２５は、実施例１では、ＰＥＴフィルムで形成されている。このシート部材２５は、その軸線を中心とする放射方向（以下、径方向ともいう）で見た外側縁部が全周に渡って第２レンズ保持枠４０の環状壁部４４に倣う形状とされ、径方向で見た内側縁部が全周に渡って第１レンズ保持枠３０の突出縁部分３３に沿いつつその突出端３３ａよりも内方に存在する形状とされている。このため、シート部材２５では、外側縁部を内方に凹ませる２つの切欠箇所２５ｃが設けられている。このシート部材２５が介在される第１レンズ保持枠３０と第２レンズ保持枠４０との位置調整のために、調整機構５０が設けられる。
【００３９】
その調整機構５０は、図３に示すように、２つの偏芯カム５１と径方向弾性部材５２とを有する。その両偏芯カム５１は、全体に円板形状を呈し、軸穴５１ａが設けられている。両偏芯カム５１は、軸穴５１ａ（その軸線）を基準とする外周面５１ｂまでの間隔が、軸穴５１ａ（軸線）を中心とする回転方向で見た位置に応じて漸次変化する形状とされている。その軸穴５１ａは、第２レンズ保持枠４０の台座部４２の取付軸部４３を通すことが可能とされている。また、その外周面５１ｂは、軸穴５１ａの軸線に沿うものとされている。さらに、２つの偏芯カム５１は、それぞれが取付軸部４３を軸穴５１ａに通して台座部４２（その先端面４２ａ）上に配置した状態において、それぞれの外周面５１ｂを第１レンズ保持枠３０の保持筒部３１の外周面３１ｂに当てることが可能な外径寸法とされている。ついで、両偏芯カム５１は、その台座部４２の先端面４２ａに当てられる側を裏面５１ｃ（図２参照）として、その裏面５１ｃが軸線に直交する平坦面とされている。
【００４０】
径方向弾性部材５２は、第１レンズ保持枠３０の保持筒部３１の外周面３１ｂを、両偏芯カム５１の外周面５１ｂに押し当てるべく、第２レンズ保持枠４０に対して第１レンズ保持枠３０を撮影光軸ＯＡに直交する方向へ向けて押す力を、当該第１レンズ保持枠３０に付与するものである。その径方向弾性部材５２は、一端５２ａが第２レンズ保持枠４０の取付突起部４５に取り付けられ、他端５２ｂが第１レンズ保持枠３０の保持筒部３１の外周面３１ｂに取り付けられて設けられており、その一端５２ａと他端５２ｂとを互いに離間させる方向へと力を作用させる。径方向弾性部材５２は、実施例１では、コイルスプリングが用いられている。この調整機構５０および第１レンズ保持枠３０を覆うように、第２レンズ保持枠４０にカバー部材２６（図２等参照）が設けられる。
【００４１】
そのカバー部材２６は、図１および図２に示すように、取付筒部２６ａと、その端部に設けられた蓋板部２６ｂと、を有する。その取付筒部２６ａは、第２レンズ保持枠４０の外径寸法に等しい外径寸法の筒状を呈し、第２レンズ保持枠４０の表面４０ｃにおいて３つの位置決め部４１、２つの台座部４２、環状壁部４４、および取付突起部４５を取り囲むことが可能な内径寸法とされている。また、取付筒部２６ａは、第２レンズ保持枠４０の表面４０ｃにおいて最も大きな高さ寸法である取付突起部４５よりも大きな長さ寸法とされている。蓋板部２６ｂは、取付筒部２６ａにおける一方の端部を覆うことのできる円板状を呈し、当該端部に連続されている。この蓋板部２６ｂには、撮影開口２６ｃが設けられている。この撮影開口２６ｃは、撮影光軸ＯＡを中心とする所定の領域で蓋板部２６ｂを開口している。この所定の領域は、撮影光学系３における光学特性に応じて設定されている。
【００４２】
このレンズ鏡胴１０では、第３レンズ保持枠２１の端面２１ａに固定される第２レンズ保持枠４０に対して、以下のように、第１レンズ保持枠３０、シート部材２５、調整機構５０およびカバー部材２６が設けられる。
【００４３】
先ず、図８に示すように、第２レンズ保持枠４０の表面４０ｃに第１レンズ保持枠３０のフランジ部３２の裏面３２ａを対向させて、被写体側から第１レンズ保持枠３０を第２レンズ保持枠４０上へと配置する（矢印Ａ１参照）。このとき、第１レンズ保持枠３０のフランジ部３２の２つの切欠箇所３２ｃを第２レンズ保持枠４０の環状壁部４４の２つの湾曲箇所４４ａに対応させつつ、そのフランジ部３２（その外周縁）を環状壁部４４の内方に進入させて、そのフランジ部３２の裏面３２ａを第２レンズ保持枠４０の３つの位置決め部４１の先端面４１ａ上に載せる（矢印Ａ１参照）。この各先端面４１ａは、第２レンズ保持枠４０の軸線に直交する単一の平面上に存在して設けられているとともに、フランジ部３２の裏面３２ａは、第１レンズ保持枠３０（保持筒部３１）の軸線に直交する平坦面とされていることから、互いの軸線を平行な状態としつつその両軸線方向で見た第２レンズ保持枠４０と第１レンズ保持枠３０との相対的な位置関係を所定のものとすることができる。ここで、第２レンズ保持枠４０の軸線は、撮影光軸ＯＡに一致するものとされていることから、第２レンズ保持枠４０が保持する第２レンズ群１２と、第１レンズ保持枠３０が保持する第１レンズ群１１と、を互いの軸線を撮影光軸ＯＡに沿う平行な状態としつつ撮影光軸ＯＡ方向で見た位置関係を所定のものとすることができる。このように、各位置決め部４１では、第１レンズ保持枠３０の裏面（フランジ部３２の裏面３２ａ）に接することにより、第２レンズ保持枠４０の表面４０ｃ側において第１レンズ保持枠３０の姿勢および撮影光軸ＯＡ方向での位置を規定することができる。
【００４４】
この後、第２レンズ保持枠４０の表面４０ｃにシート部材２５の裏面２５ａを対向させて、被写体側からシート部材２５を第２レンズ保持枠４０および第１レンズ保持枠３０上へと配置する（矢印Ａ２、Ａ３参照）。このとき、２つの切欠箇所２５ｃを第２レンズ保持枠４０の環状壁部４４の２つの湾曲箇所４４ａに対応させつつ、外側縁部を環状壁部４４の先端面４４ｂ上に載せる（矢印Ａ２参照）。その後、シート部材２５の裏面２５ａの外側縁部を、全周に渡って環状壁部４４の先端面４４ｂに固定する（図２等参照）。この両面テープによる貼り付けであってもよく、接着剤による接着であってもよい。実施例１では、図示は略すが両面テープによる貼り付けにより、シート部材２５の裏面２５ａの外側縁部を環状壁部４４の先端面４４ｂに固定している（図２等参照）。
【００４５】
すると、シート部材２５の裏面２５ａの内側縁部は、第２レンズ保持枠４０の環状壁部４４の内方に設けられた第１レンズ保持枠３０の突出縁部分３３に全周に渡って所定の押し当て力で押し当てられる（図２等参照）。これは、第１レンズ保持枠３０の突出縁部分３３の軸線方向で見た高さ寸法が、所定の押し当て力を確保することを可能とする観点から、シート部材２５の性質および第２レンズ保持枠４０の環状壁部４４の高さ寸法と併せて設定されているとともに、シート部材２５の内側縁部が全周に渡って切れ目なく第１レンズ保持枠３０の突出縁部分３３に沿いつつその突出端３３ａよりも内方に存在する形状とされていることによる。この所定の押し当て力とは、シート部材２５の裏面２５ａの内側縁部を全周に渡って第１レンズ保持枠３０の突出縁部分３３に確実に接触させることを可能とするものである。実施例１では、所定の押し当て力は、第２レンズ群１２を保持する第２レンズ保持枠４０の重量よりも大きな力に設定されている。
【００４６】
これにより、第２レンズ保持枠４０上では、図２、図８から図１０に示すように、環状壁部４４と第１レンズ保持枠３０の突出縁部分３３との間が、全周に渡ってシート部材２５により封止されることとなる。ここで、第２レンズ保持枠４０は、保持穴４０ａで第２レンズ群１２を保持していることにより、表面４０ｃにおける環状壁部４４の内方では、その突出端側（先端面４４ｂ側）のみが開放された構成とされている。また、その環状壁部４４の内方に配置される第１レンズ保持枠３０は、保持筒部３１の内方で第１レンズ群１１を保持していることにより、フランジ部３２の外周縁よりも内方では、裏面側（フランジ部３２の裏面３２ａ側）と表面側（フランジ部３２の表面３２ｂ側）とを通じさせる箇所のない構成とされている。このため、第１レンズ群１１と第２レンズ群１２との間では、環状壁部４４（先端面４４ｂ）と突出縁部分３３（突出端３３ａ）との間のみに隙間が形成されていることとなり、その隙間がシート部材２５により封止される。換言すると、第１レンズ群１１と第２レンズ群１２との間は、第２レンズ保持枠４０の表面４０ｃ、そこから突出された環状壁部４４、その先端面４４ｂに裏面２５ａの外側縁部が固定されたシート部材２５、その内側縁部が所定の押し当て力で突出端３３ａに押し当てられた突出縁部分３３、それが突出されたフランジ部３２の表面３２ｂ、およびそのフランジ部３２が連続された保持筒部３１により、封止されている。このため、シート部材２５は、第２レンズ保持枠４０の表面４０ｃ側において、その環状壁部４４と、第１レンズ保持枠３０のフランジ部３２の突出縁部分３３と、の協働により、封止機構を構成している。
【００４７】
その後、図２および図３に示すように、この封止機構を介して第１レンズ保持枠３０が設けられた第２レンズ保持枠４０の各台座部４２に偏芯カム５１を配置するとともに、第２レンズ保持枠４０の取付突起部４５に径方向弾性部材５２を配置する。この２つの偏芯カム５１は、裏面５１ｃ側から台座部４２に設けられた取付軸部４３を軸穴５１ａに通して、各台座部４２の先端面４２ａ上に配置する。また、径方向弾性部材５２は、撮影光軸ＯＡに直交する方向に沿わせつつ、一端５２ａを第２レンズ保持枠４０の取付突起部４５に取り付けるとともに、他端５２ｂを第１レンズ保持枠３０の保持筒部３１の外周面３１ｂに取り付ける。これにより、第２レンズ保持枠４０の表面４０ｃ上では、第１レンズ保持枠３０（その保持筒部３１の外周面３１ｂ）が径方向弾性部材５２に押されて、保持筒部３１の外周面３１ｂにおける他の箇所が２つの偏芯カム５１の外周面５１ｂに押し当てられて、調整機構５０が構成される。
【００４８】
この調整機構５０では、２つの偏芯カム５１を取付軸部４３回りに適宜回転させることにより、それぞれの取付軸部４３から外周面５１ｂまでの間隔を漸次的に変化させることができる。この偏芯カム５１は、外周面５１ｂが軸穴５１ａの軸線に沿うものとされているとともに、裏面５１ｃが軸穴５１ａの軸線に直交する平坦面とされている。また、２つの台座部４２の先端面４２ａは、撮影光軸ＯＡに直交する平坦面とされているとともに、そこに設けられた取付軸部４３が撮影光軸ＯＡに沿うものとされている。このように、調整機構５０では、２つの外周面５１ｂと径方向弾性部材５２の他端５２ｂとによる３つの調整支持点により、第１レンズ保持枠３０（その保持筒部３１の外周面３１ｂ）の撮影光軸ＯＡに直交する面に沿う方向で見た位置を規定しており、その３つの調整支持点が撮影光軸ＯＡに直交する面に沿う移動が可能とされている。このため、調整機構５０では、２つの偏芯カム５１を取付軸部４３回りに適宜回転させることにより、撮影光軸ＯＡに直交する方向で見て、第２レンズ保持枠４０に対する第１レンズ保持枠３０の位置、すなわち第２レンズ保持枠４０が保持する第２レンズ群１２と第１レンズ保持枠３０が保持する第１レンズ群１１との互いの軸線を所望の位置関係とする調芯を行うことができる。この両偏芯カム５１の回転操作は、作業者の手によるものであってもよく、作業者が冶具を用いて行うものであってもよく、図示は略すが調整装置を用いるものであってもよい。このため、撮影光軸ＯＡに直交する面に沿う方向が、調整機構５０による第２レンズ保持枠４０（第２レンズ群１２）に対する第１レンズ保持枠３０（第１レンズ群１１）の調整方向となる。実施例１では、第２レンズ群１２と第１レンズ群１１との互いの軸線を撮影光軸ＯＡ上で一致させている。なお、２つの偏芯カム５１は、第１レンズ群１１と第２レンズ群１２との互いの軸線を撮影光軸ＯＡ上で一致させた後、図示は略すが接着剤により第１レンズ保持枠３０および第２レンズ保持枠４０に対して固定する。
【００４９】
この調整機構５０および封止機構を介して第１レンズ保持枠３０が設けられた第２レンズ保持枠４０の表面４０ｃ上に、カバー部材２６を取り付ける。このカバー部材２６は、第２レンズ保持枠４０の表面４０ｃの外縁部に、カバー部材２６の取付筒部２６ａの他方の端部を固定する。この固定は、接着によるものであってもよく、固定冶具を用いるものであってもよく、実施例１では図示を略すネジによるものとしている。その第２レンズ保持枠４０の表面４０ｃでは、そこに設けられた第１レンズ保持枠３０、調整機構５０および封止機構が、カバー部材２６の内方に収容される。これにより、レンズ鏡胴１０が形成される。このレンズ鏡胴１０では、第１レンズ群１１のうちの最も被写体側に設けられたレンズ（撮影光学系３における対物レンズ）のみがカバー部材２６の蓋板部２６ｂの撮影開口２６ｃから露見している（図１および図２参照）。
【００５０】
実施例１のレンズ鏡胴１０（デジタルカメラ１）では、第２レンズ保持枠４０から見て第１レンズ保持枠３０が設けられる表面４０ｃ（第１面）側において、その第１レンズ保持枠３０の裏面（フランジ部３２の裏面３２ａ）が接する３つの位置決め部４１（その先端面４１ａ）および第２レンズ群１２（保持穴４０ａ）を取り巻きつつ全周に渡り表面４０ｃに取り付けられたシート部材２５が、第１レンズ群１１を取り囲む全周に渡り第１レンズ保持枠３０に押し当てられており、その３つの位置決め部４１が第２レンズ群１２を取り囲んで設けられていることから、その第２レンズ群１２と第１レンズ群１１との間の隙間を全周に渡りシート部材２５で封止する（封止機構により封止する）ことができるので、第２レンズ群１２と第１レンズ群１１との間に塵埃が入り込むことを防止することができる。
【００５１】
また、レンズ鏡胴１０では、第１レンズ群１１を取り囲む全周に渡り撮影光軸ＯＡ方向でシート部材２５を第１レンズ保持枠３０に押し当てる構成であることから、調整機構５０による第２レンズ保持枠４０に対する第１レンズ保持枠３０の撮影光軸ＯＡに直交する方向での移動に拘らずシート部材２５を第１レンズ保持枠３０に押し当てた状態を維持することができるので、封止機構による封止状態を維持しつつ第２レンズ保持枠４０に対する第１レンズ保持枠３０の位置、すなわち第２レンズ保持枠４０が保持する第２レンズ群１２と第１レンズ保持枠３０が保持する第１レンズ群１１との互いの軸線を所定の位置関係とする（第２レンズ群１２と第１レンズ群１１との調芯（実施例１では撮影光軸ＯＡ上で一致させる））ことができる。
【００５２】
さらに、レンズ鏡胴１０では、第２レンズ保持枠４０の３つの位置決め部４１（その先端面４１ａ）に第１レンズ保持枠３０の裏面（フランジ部３２の裏面３２ａ）を接触させることにより、第２レンズ保持枠４０に対する第１レンズ保持枠３０の撮影光軸ＯＡ方向での位置、および第２レンズ保持枠４０で規定される撮影光軸ＯＡに対する第１レンズ保持枠３０の傾斜（第２レンズ保持枠４０に対する第１レンズ保持枠３０の撮影光軸ＯＡに関する位置関係）を規定するものであることから、調整機構５０による第２レンズ群１２と第１レンズ群１１との調芯に拘らず第２レンズ群１２（第２レンズ保持枠４０）に対する第１レンズ群１１（第１レンズ保持枠３０）の撮影光軸ＯＡに関する位置関係を所定の状態とすることができる。これは、以下のことによる。例えば、第２レンズ保持枠４０に対する第１レンズ保持枠３０の撮影光軸ＯＡに関する位置関係を設定する場合、第２レンズ保持枠４０の表面４０ｃと第１レンズ保持枠３０の裏面（フランジ部３２の裏面３２ａ）とを互いに高精度に撮影光軸ＯＡに直交する平面とする加工を施して、その第２レンズ保持枠４０の表面４０ｃと第１レンズ保持枠３０の裏面とを当てることが考えられる。ところが、例えば、いずれか一方の平面度が０．０１であるものとして、それぞれの面の直径が１０ｍｍであるとしても、最大で［ａｒｃｓｉｎ（０．０１／１０）＝３．４分］の傾きが生じてしまうこととなる。このような傾きは極めて小さなものではあるが、撮影光学系３における調芯の精度としては問題となり得るものであるとともに上記した傾きが意図せず生じる可能性があることから、高精度に調芯する観点からは改善することが望ましい。これに対し、レンズ鏡胴１０では、第２レンズ保持枠４０の３つの位置決め部４１（その先端面４１ａ）に第１レンズ保持枠３０の裏面（フランジ部３２の裏面３２ａ）を接触させるものであることから、上記したような平面加工の精度に起因して意図せぬ傾きが生じることを防止することができるので、調整機構５０による第２レンズ群１２と第１レンズ群１１との調芯に拘らず第２レンズ群１２（第２レンズ保持枠４０）に対する第１レンズ群１１（第１レンズ保持枠３０）の撮影光軸ＯＡに関する位置関係を所定の状態とすることができる。
【００５３】
レンズ鏡胴１０では、環状のシート部材２５の外側縁部を全周に渡り第２レンズ保持枠４０の表面４０ｃに固定するとともに、その内側縁部を全周に渡り第１レンズ保持枠３０に押し当てる構成であることから、周方向で見て押し当て力に偏りが生じることを防止することができるとともに、撮影光軸ＯＡ方向への部分的な変形に起因して第１レンズ保持枠３０への押し当て状態が部分的に解除されることを防止することができる。このため、封止機構による封止状態をより確実に維持するこができる。
【００５４】
レンズ鏡胴１０では、環状のシート部材２５を、全周に渡り第１レンズ保持枠３０のフランジ部３２の突出縁部分３３（その突出端３３ａ）に押し当てる構成であることから、環状のシート部材２５の外側縁部の第１レンズ保持枠３０への押し当て力を突出端３３ａに集約させることができるので、シート部材２５を第１レンズ保持枠３０に確実に押し当てることができ、シート部材２５と第１レンズ保持枠３０との間をより確実に封止することができる。
【００５５】
レンズ鏡胴１０では、環状のシート部材２５を、全周に渡り第１レンズ保持枠３０のフランジ部３２の突出縁部分３３（その突出端３３ａ）に押し当てる構成であることから、第１レンズ保持枠３０および第２レンズ保持枠４０における光学的な観点からの設計自由度が低減することを防止しつつシート部材２５を第１レンズ保持枠３０に確実に押し当てることができる。
【００５６】
レンズ鏡胴１０では、環状のシート部材２５の裏面２５ａの内側縁部を、全周に渡り第１レンズ保持枠３０のフランジ部３２の突出縁部分３３（その突出端３３ａ）に押し当てるものであって、そのシート部材２５の内側縁部が全周に渡って第１レンズ保持枠３０の突出縁部分３３に沿いつつその突出端３３ａよりも内方に存在する形状であることから、シート部材２５の裏面２５ａを突出縁部分３３（突出端３３ａ）に押し当てることができるので、シート部材２５の角部が突出縁部分３３（突出端３３ａ）に擦られて欠損が生じることを防止することができる。特に、実施例１では、突出縁部分３３の突出端３３ａが曲面状とされていることから、シート部材２５の角部を擦すって欠損を生じさせることをより確実に防止することができる。
【００５７】
レンズ鏡胴１０では、環状のシート部材２５の裏面２５ａの内側縁部を、全周に渡り撮影光軸ＯＡ方向で第２レンズ保持枠４０の表面４０ｃへ向けて第１レンズ保持枠３０のフランジ部３２の突出縁部分３３（その突出端３３ａ）に押し当てるものであることから、第１レンズ保持枠３０の裏面（フランジ部３２の裏面３２ａ）を第２レンズ保持枠４０の３つの位置決め部４１（その先端面４１ａ）に接する状態とすることを補助することができるので、より簡易な構成とすることができる。
【００５８】
レンズ鏡胴１０では、シート部材２５の内側縁部が所定の押し当て力で突出縁部分３３（突出端３３ａ）に押し当てられており、その所定の押し当て力がシート部材２５の裏面２５ａの内側縁部を全周に渡って第１レンズ保持枠３０の突出縁部分３３に確実に接触させることを可能とする力に設定されていることから、シート部材２５と突出縁部分３３との間をより確実に封止することができる。
【００５９】
レンズ鏡胴１０では、シート部材２５の内側縁部が所定の押し当て力で突出縁部分３３（突出端３３ａ）に押し当てられており、その所定の押し当て力が第２レンズ群１２を保持する第２レンズ保持枠４０の重量よりも大きな力に設定されていることから、他の部材を用いることなく第１レンズ保持枠３０の裏面（フランジ部３２の裏面３２ａ）を第２レンズ保持枠４０の３つの位置決め部４１（その先端面４１ａ）に適切に接した状態を維持することができる。
【００６０】
レンズ鏡胴１０では、第２レンズ保持枠４０の表面４０ｃに、第２レンズ群１２（保持穴４０ａ）および３つの位置決め部４１を撮影光軸ＯＡを中心とする周方向で取り囲みつつ表面４０ｃから撮影光軸ＯＡ方向に沿って突出する環状壁部４４を形成し、その先端面４４ｂに環状のシート部材２５の裏面２５ａの外側縁部を全周に渡り固定していることから、３つの位置決め部４１（その先端面４１ａ）および第２レンズ群１２（保持穴４０ａ）を取り巻きつつ全周に渡りシート部材２５を表面４０ｃに取り付けることを容易なものとすることができる。
【００６１】
レンズ鏡胴１０では、第２レンズ保持枠４０の環状壁部４４に両台座部４２の外周面に沿って湾曲する２つの湾曲箇所４４ａが設けられるとともに、それに対応して第１レンズ保持枠３０の突出縁部分３３（フランジ部３２）に２つの湾曲箇所３３ｂ（切欠箇所３２ｃ）が設けられ、かつシート部材２５に２つの切欠箇所２５ｃが設けられていることから、第２レンズ保持枠４０の表面４０ｃ上において調整機構５０としての２つの偏芯カム５１を配置するために両台座部４２を設けることによる大型化を防止しつつ第２レンズ群１２と第１レンズ群１１との間の隙間を全周に渡りシート部材２５で覆う（封止機構により封止する）ことができる。
【００６２】
レンズ鏡胴１０では、シート部材２５が第１レンズ保持枠３０の突出縁部分３３（その突出端３３ａ）と相対的に滑ることを可能とする部材（実施例１ではＰＥＴフィルム）で形成されていることから、調整機構５０による第２レンズ保持枠４０に対する第１レンズ保持枠３０の撮影光軸ＯＡに直交する方向での移動に拘らずシート部材２５を第１レンズ保持枠３０に押し当てた状態をより確実に維持することができるとともに、調整機構５０による第２レンズ保持枠４０に対する第１レンズ保持枠３０の撮影光軸ＯＡに直交する方向での移動を阻害することを防止することができる。
【００６３】
レンズ鏡胴１０では、調整機構５０が、第２レンズ保持枠４０の表面４０ｃとの間に封止機構を介在させて設けられていることから、封止機構による封止機能を阻害することなく第２レンズ保持枠４０に対する第１レンズ保持枠３０の位置を高精度に調整することを可能とすることができる。
【００６４】
レンズ鏡胴１０では、調整機構５０が、表面４０ｃの両台座部４２に設けられた２つの偏芯カム５１と、表面４０ｃの取付突起部４５に設けられた径方向弾性部材５２と、を撮影光軸ＯＡに直交する面に沿って設けて構成されていることから、封止機構から見て第２レンズ保持枠４０とは反対側（実施例１では、封止機構から見て被写体側）の空間だけを利用して設けることができるとともに、撮影光軸ＯＡ方向での大きさ寸法の増大を防止することができる。
【００６５】
レンズ鏡胴１０では、第２レンズ保持枠４０の表面４０ｃに設けられた第１レンズ保持枠３０、調整機構５０および封止機構を内方に収容させて、その表面４０ｃ（第２レンズ保持枠４０）にカバー部材２６を取り付けることから、調整機構５０により調芯した状態に影響が及ぶことを防止することができる。
【００６６】
したがって、実施例１のレンズ鏡胴１０では、高精度な調芯を可能としつつ塵埃が入り込むことを防止することができる。
【実施例２】
【００６７】
次に、実施例２のレンズ鏡胴１０Ｂについて、図１１を用いて説明する。この実施例２は、レンズ鏡胴１０Ｂの構成が上記した実施例のレンズ鏡胴１０（デジタルカメラ１）とは異なる例である。この実施例２のレンズ鏡胴１０Ｂ（デジタルカメラ１）は、基本的な構成は上記した実施例１のレンズ鏡胴１０（デジタルカメラ１）と同様であることから、等しい構成の個所には同じ符号を付し、その詳細な説明は省略する。図１１は、レンズ鏡胴１０Ｂにおける第２レンズ保持枠４０よりも被写体側を拡大しつつ模式的な断面で示す説明図である。
【００６８】
実施例２のレンズ鏡胴１０Ｂでは、図１１に示すように、カバー部材２６と第１レンズ保持枠３０との間に、３つの軸方向弾性部材５３（図１１では１つのみを図示）が設けられている。この各軸方向弾性部材５３は、撮影光軸ＯＡ方向に沿って第１レンズ保持枠３０を第２レンズ保持枠４０（その表面４０ｃ）に向けて押すものであり、撮影光軸ＯＡを中心とする回転方向で見て互いに等しい間隔で設けられている。各軸方向弾性部材５３は、実施例２では、一端５３ａがカバー部材２６の蓋板部２６ｂに取り付けられ、他端５３ｂが第１レンズ保持枠３０のフランジ部３２における突出縁部分３３よりも内側に取り付けられて設けられており、その一端５３ａと他端５３ｂとを互いに離間させる方向へと力を作用させる。この各軸方向弾性部材５３は、実施例２では、コイルスプリングが用いられている。
【００６９】
これに伴い、シート部材２５では、裏面２５ａの内側縁部の第１レンズ保持枠３０の突出縁部分３３への全周に渡る所定の押し当て力を、シート部材２５の裏面２５ａの内側縁部を全周に渡って第１レンズ保持枠３０の突出縁部分３３に確実に接触させることを可能とする力に設定しており、実施例１よりも小さなものとしている。
【００７０】
実施例２のレンズ鏡胴１０Ｂ（デジタルカメラ１）では、基本的に実施例１のレンズ鏡胴１０（デジタルカメラ１）と同様の構成であることから、基本的に実施例１と同様の効果を得ることができる。
【００７１】
それに加えて、実施例２のレンズ鏡胴１０Ｂ（デジタルカメラ１）では、実施例１の構成に比較して、シート部材２５の裏面２５ａの内側縁部を第１レンズ保持枠３０の突出縁部分３３（その突出端３３ａ）へと押し当てる力を低減することができるので、調整機構５０による第２レンズ保持枠４０に対する第１レンズ保持枠３０の撮影光軸ＯＡに直交する方向での移動の際に裏面２５ａと突出縁部分３３（突出端３３ａ）との間に作用する摩擦力を低減することができ、調芯作業を容易なものとすることができる。
【００７２】
したがって、実施例２のレンズ鏡胴１０Ｂでは、高精度な調芯を可能としつつ塵埃が入り込むことを防止することができる。
【００７３】
なお、上記した実施例２では、封止機構が実施例１と同様の構成とされていたが、３つの軸方向弾性部材５３により第１レンズ保持枠３０を第２レンズ保持枠４０（その表面４０ｃ）に向けて押していることから、図１２に示すように、第１レンズ保持枠３０のフランジ部３２の裏面３２ａに突出縁部分３３Ｂを設けるとともに、フランジ部３２（その裏面３２ａ）と第２レンズ保持枠４０（その表面４０ｃ）との間で撮影光軸ＯＡ方向の像面側からシート部材２５を突出縁部分３３Ｂ（その突出端３３ａ）に押し当てる構成であってもよく、実施例２に限定されるものではない。
【実施例３】
【００７４】
次に、実施例３のレンズ鏡胴１０Ｃについて、図１３および図１４を用いて説明する。この実施例３は、レンズ鏡胴１０Ｃの構成が上記した実施例１および実施例２のレンズ鏡胴１０、１０Ｂ（デジタルカメラ１）とは異なる例である。この実施例３のレンズ鏡胴１０Ｃ（デジタルカメラ１）は、基本的な構成は上記した実施例１のレンズ鏡胴１０（デジタルカメラ１）と同様であることから、等しい構成の個所には同じ符号を付し、その詳細な説明は省略する。図１３は、レンズ鏡胴１０Ｃを被写体側から見た図３と同様の説明図であり、図１４は、レンズ鏡胴１０Ｃの構成を図１３のII−II線に沿って得られて断面で示す説明図である。なお、図１３では、理解容易のために、被覆板２８を省略して示している。また、図１４では、図２と同様に、理解容易のために、２つの位置決め部４１（その先端面４１ａ）に第１レンズ保持枠３０が接触している様子を図示しているが、実際の構成と必ずしも一致するものではない。
【００７５】
実施例３のレンズ鏡胴１０Ｃでは、図１３および図１４に示すように、第３レンズ保持枠２１Ｃが、第２レンズ保持枠４０Ｃを内方に収容することを可能とする構成とされている。この第３レンズ保持枠２１Ｃでは、鍔部２１ｂの前方側（物体側）が段付きの筒部２１ｄとされており、その小径箇所でシャッタ／絞りユニット１５を収容保持し、大径箇所で第２レンズ保持枠４０Ｃを収容保持している。
【００７６】
その第２レンズ保持枠４０Ｃでは、実施例１の第２レンズ保持枠４０の構成に加えて、３つのボス部４６が設けられている。この各ボス部４６は、表面４０ｃ側において、後述するカバー部材２６Ｃの撮影光軸ＯＡ方向での位置を規定しつつ取り付ける箇所を形成するものである。各ボス部４６は、環状壁部４４を、撮影光軸ＯＡを中心とする回転方向で取り巻いて設けられており、実施例３では、当該回転方向で見て互いに等しい間隔でかつ径方向で見て等しい距離で配置されている（図１３参照）。各ボス部４６は、表面４０ｃから撮影光軸ＯＡ方向に沿って突出された円柱状を呈し、表面４０ｃからの高さ寸法が互いに等しいものとされている。このため、３つのボス部４６の先端面４６ａは、撮影光軸ＯＡから互いに等しい径方向位置であって、撮影光軸ＯＡ方向で互いに等しい高さ位置に存在している。また、各ボス部４６には、先端面４６ａから撮影光軸ＯＡに沿って形成されたネジ穴４６ｂが設けられている。また、実施例３のレンズ鏡胴１０Ｃでは、実施例２のレンズ鏡胴１０Ｂと同様の３つの軸方向弾性部材５３が設けられる。これに伴い、シート部材２５は、裏面２５ａの内側縁部の第１レンズ保持枠３０の突出縁部分３３への全周に渡る所定の押し当て力を、実施例２と同様の設定としている。
【００７７】
レンズ鏡胴１０Ｃでは、第３レンズ保持枠２１Ｃの筒部２１ｄの大径箇所の内方であって、調整機構５０および第１レンズ保持枠３０よりも被写体側にカバー部材２６Ｃが取り付けられる。このカバー部材２６Ｃは、第３レンズ保持枠２１Ｃの筒部２１ｄの大径箇所の内方に嵌め込むことのできる外径寸法の円板状を呈する。カバー部材２６Ｃには、撮影開口２６ｃに加えて、３つの調整穴２６ｄと３つの取付穴２６ｅとが設けられている。
【００７８】
その各調整穴２６ｄは、調整機構５０における撮影光軸ＯＡに直交する方向での第２レンズ保持枠４０Ｃに対する第１レンズ保持枠３０の位置調整のための操作を可能とするものであり、カバー部材２６Ｃを撮影光軸ＯＡ方向に貫通して形成されている。３つの調整穴２６ｄは、実施例３では、撮影光軸ＯＡを中心として湾曲された形状（弧状）を呈し、そのうちの２つが調整機構５０の２つの偏芯カム５１の回転操作を可能とすべくその各偏芯カム５１を被写体側に露見させ、残りの１つが軸方向弾性部材５３を被写体側に露見させている。
【００７９】
また、各取付穴２６ｅは、カバー部材２６Ｃを第２レンズ保持枠４０Ｃに取り付ける箇所を形成するものであり、カバー部材２６Ｃを撮影光軸ＯＡ方向に貫通して形成されている。この各取付穴２６ｅは、後述するネジ部材２７を受け入れることを可能として形成されており、被写体側が大径部分２６ｆとされ、像面側（第２レンズ保持枠４０Ｃ側）が小径部分２６ｇとされている。
【００８０】
その各取付穴２６ｅには、ネジ部材２７が挿入される。そのネジ部材２７は、頭部２７ａとネジ部２７ｂとを有する。その頭部２７ａは、取付穴２６ｅの大径部分２６ｆに挿入可能であって、小径部分２６ｇに挿入することのできない径寸法とされている。頭部２７ａには、実施例３では、十字穴２７ｃが設けられている。この十字穴２７ｃは、ネジ部材２７における締め付け操作およびその解除操作を行うためのものである。なお、実施例３では、頭部２７ａに十字穴２７ｃを設けているが、ネジ部材２７における締め付け操作およびその解除操作を可能とするものであればよく、実施例３の構成に限定されるものではない。ネジ部２７ｂは、小径部分２６ｇに挿入することのできる径寸法の棒状を呈し、外周面にネジ溝が設けられている。このネジ部２７ｂは、第２レンズ保持枠４０Ｃに設けられたボス部４６のネジ穴４６ｂに噛み合わせることが可能とされている。
【００８１】
また、レンズ鏡胴１０Ｃでは、第３レンズ保持枠２１Ｃの筒部２１ｄの大径箇所の内方であって、カバー部材２６Ｃの被写体側に被覆板２８（図１４参照）が取り付けられる。この被覆板２８は、第３レンズ保持枠２１Ｃの筒部２１ｄの大径箇所の内方に嵌め込むことのできる外径寸法の円板状を呈する。被覆板２８には、カバー部材２６Ｃの撮影開口２６ｃに適合する位置に、撮影開口２８ａが設けられている。この被覆板２８は、実施例３では、銘版を用いている。
【００８２】
レンズ鏡胴１０Ｃでは、以下のように、第１レンズ保持枠３０、シート部材２５、調整機構５０、カバー部材２６Ｃおよび被覆板２８が設けられる。
【００８３】
先ず、第３レンズ保持枠２１Ｃの筒部２１ｄの大径箇所の内方に、第２レンズ保持枠４０Ｃを取り付ける。その第２レンズ保持枠４０Ｃは、筒部２１ｄにおける小径箇所と大径箇所との内径寸法の際により形成される段差箇所に宛がわせて筒部２１ｄに取り付ける。その第２レンズ保持枠４０Ｃ（その表面４０ｃ）に対する第１レンズ保持枠３０、シート部材２５および調整機構５０の設置は、実施例１のレンズ鏡胴１０と同様である。その後、レンズ鏡胴１０Ｃでは、調整機構５０による調芯操作を行う前に、カバー部材２６Ｃを取り付ける。
【００８４】
そのカバー部材２６Ｃは、３つの取付穴２６ｅを第２レンズ保持枠４０Ｃの表面４０ｃに設けられた３つのボス部４６に対向させて、その先端面４６ａに押し当てられる。このとき、カバー部材２６Ｃには軸方向弾性部材５３の一端５３ａが分離可能に取り付けられ、その他端５３ｂが第１レンズ保持枠３０のフランジ部３２における突出縁部分３３よりも内側に宛がわれる。その状態において、各取付穴２６ｅにネジ部材２７を挿入し、そのネジ部２７ｂをボス部４６のネジ穴４６ｂに噛み合わせる。
【００８５】
これにより、レンズ鏡胴１０Ｃでは、図１３に示すように、被写体側から見ると、第３レンズ保持枠２１Ｃの筒部２１ｄの内方にカバー部材２６Ｃが嵌め込まれているとともに、その３つの調整穴２６ｄのうちの２つから調整機構５０の２つの偏芯カム５１が露見され、残りの１つから軸方向弾性部材５３が露見されている。この状態において、各調整穴２６ｄを介して２つの偏芯カム５１を取付軸部４３回りに適宜回転させることにより、撮影光軸ＯＡに直交する方向で見て、第２レンズ保持枠４０Ｃに対する第１レンズ保持枠３０の位置、すなわち第２レンズ保持枠４０が保持する第２レンズ群１２と第１レンズ保持枠３０が保持する第１レンズ群１１との互いの軸線を所定の位置関係として調芯する。実施例３では、第２レンズ群１２と第１レンズ群１１との互いの軸線を撮影光軸ＯＡ上で一致させる。この両偏芯カム５１の回転操作は、作業者の手によるものであってもよく、作業者が冶具を用いて行うものであってもよく、図示は略すが調整装置を用いるものであってもよい。
【００８６】
この後、図示は略すが３つの調整穴２６ｄから、接着剤により２つの偏芯カム５１と第１レンズ保持枠３０と第２レンズ保持枠４０Ｃとを固定する。その後、３つの調整穴２６ｄから３つの軸方向弾性部材５３を取り外す。このため、各調整穴２６ｄは、２つの偏芯カム５１と第１レンズ保持枠３０と第２レンズ保持枠４０Ｃとを固定するための固定作業穴としての機能と、各軸方向弾性部材５３を取り外すための取外作業穴としての機能と、を併せ持っている。
【００８７】
その後、カバー部材２６Ｃの被写体側から、そのカバー部材２６Ｃに被覆板２８を接着剤で取り付ける（図１４参照）。これにより、レンズ鏡胴１０Ｃが形成される。このレンズ鏡胴１０Ｃでは、第１レンズ群１１のうちの最も被写体側に設けられたレンズ（撮影光学系３における対物レンズ）のみが被覆板２８の撮影開口２８ａから露見している（図１４参照）。
【００８８】
実施例３のレンズ鏡胴１０Ｃ（デジタルカメラ１）では、基本的に実施例１のレンズ鏡胴１０（デジタルカメラ１）と同様の構成であることから、基本的に実施例１と同様の効果を得ることができる。
【００８９】
それに加えて、実施例３のレンズ鏡胴１０Ｃ（デジタルカメラ１）では、カバー部材２６Ｃを第２レンズ保持枠４０Ｃに取り付けた後に、調整機構５０による調芯操作が可能であることから、カバー部材２６Ｃを取り付けることに伴う調芯精度に影響を及ぼすような第２レンズ保持枠４０Ｃ等に不測の応力が作用することを確実に防止することができるので、より高精度な調芯を行うことができる。
【００９０】
また、レンズ鏡胴１０Ｃでは、カバー部材２６Ｃに被覆板２８を取り付けることから、カバー部材２６Ｃの各調整穴２６ｄや各取付穴２６ｅ（ネジ部材２７）を覆い隠すことができるので、外観品質を向上させることができる。特に、実施例３では、被覆板２８として一般に設けられる銘版を用いていることから、被覆板２８を設けることにより違和感を与えることを防止することができるとともに、被覆板２８を設けることによるコストの増加を防止することができる。
【００９１】
さらに、レンズ鏡胴１０Ｃでは、調整機構５０による調芯を行い、その状態で接着剤により２つの偏芯カム５１と第１レンズ保持枠３０と第２レンズ保持枠４０Ｃとを固定した後に３つの調整穴２６ｄから３つの軸方向弾性部材５３を取り外すので、内部での負荷を低減することができるとともに、軽量化を図ることができる。
【００９２】
レンズ鏡胴１０Ｃでは、実施例１の構成に比較して、シート部材２５の裏面２５ａの内側縁部を第１レンズ保持枠３０の突出縁部分３３（その突出端３３ａ）へと押し当てる力を低減することができるので、調整機構５０により第２レンズ保持枠４０Ｃに対する第１レンズ保持枠３０の撮影光軸ＯＡに直交する方向での移動の際に裏面２５ａと突出縁部分３３（突出端３３ａ）との間に作用する摩擦力を低減することができ、調芯作業を容易なものとすることができる。
【００９３】
したがって、実施例３のレンズ鏡胴１０Ｃでは、高精度な調芯を可能としつつ塵埃が入り込むことを防止することができる。
【００９４】
なお、上記した実施例３では、封止機構が実施例１と同様の構成とされていたが、３つの軸方向弾性部材５３により第１レンズ保持枠３０を第２レンズ保持枠４０Ｃ（その表面４０ｃ）に向けて押していることから、実施例２の図１２に示す突出縁部分３３Ｂを有する構成としてもよく、実施例３に限定されるものではない。
【００９５】
また、実施例３では、調芯状態を固定した後に３つの軸方向弾性部材５３を取り外すものとしていたが、取り外さないものであってもよく、実施例３に限定されるものではない。
【００９６】
なお、上記した各実施例では、本発明に係るレンズ鏡胴の一例としてのレンズ鏡胴１０、１０Ｂ、１０Ｃについて説明したが、１枚以上のレンズからなる第１のレンズ群と、該第１のレンズ群をその光軸を中心とする回転方向で取り巻いて保持する第１のレンズ保持部材と、前記第１のレンズ群と並列され１枚以上のレンズからなる第２のレンズ群と、該第２のレンズ群をその光軸を中心とする回転方向で取り巻いて撮影光軸上で保持する第２のレンズ保持部材と、該第２のレンズ保持部材から見て前記第１のレンズ群側に設けられ前記撮影光軸に直交する方向での前記第２のレンズ保持部材に対する前記第１のレンズ保持部材の位置の調整を可能とする調整機構と、を備えるレンズ鏡胴であって、前記第２のレンズ保持部材には、前記第１のレンズ群側の第１面に、前記第２のレンズ群を取り巻く位置において前記撮影光軸方向で前記第１のレンズ保持部材に接する少なくとも３つの位置決め部と、前記撮影光軸に直交する面上で見て３つの前記位置決め部を取り囲む全周に渡り前記第１面に取り付けられたシート部材と、が設けられ、該シート部材は、前記撮影光軸方向で見て前記調整機構と前記第１面との間において、前記第１のレンズ群を取り囲む全周に渡り前記撮影光軸方向で前記第１のレンズ保持部材に押し当てられているレンズ鏡胴であればよく、上記した各実施例に限定されるものではない。
【００９７】
また、上記した各実施例では、撮影光学系３が４群構成とされているとともに、その第１レンズ群１１を第１のレンズ群とし、第１レンズ保持枠３０を第１のレンズ保持部材とし、第２レンズ群１２を第２のレンズ群とし、第２レンズ保持枠４０を第２のレンズ保持部材としていたが、第２のレンズ群を保持する第２のレンズ保持部材に対して、撮影光軸ＯＡに直交される方向で第１のレンズ群を保持する第１のレンズ保持部材が移動可能とされているものであれば、他の構成の撮影光学系であってもよくかついずれのレンズ群およびレンズ保持部材（レンズ保持枠）に適用するものであってもよく、上記した各実施例に限定されるものではない。ここで、実施例３のカバー部材２６Ｃのように調整穴２６ｄを設ける構成とする場合、各実施例のように撮影光学系において最も被写体側に配置される対物レンズを含むレンズ群を第１のレンズ群とすると、調整穴２６ｄを設けたことによるカバー部材２６Ｃを組み付けた後での調芯作業等の実行を可能とすることを、より効果的なものとすることができる。
【００９８】
さらに、上記した各実施例では、シート部材２５の裏面２５ａの外側縁部を環状壁部４４の先端面４４ｂに固定していたが、撮影光軸ＯＡに直交する面上で見て３つの位置決め部４１を取り囲む全周に渡り第２のレンズ保持部材の第１面（第２レンズ保持枠４０の表面４０ｃ）に取り付けられていればよく、上記した各実施例に限定されるものではない。
【００９９】
上記した各実施例では、シート部材２５の裏面２５ａの内側縁部を第１レンズ保持枠３０のフランジ部３２の突出縁部分３３の突出端３３ａに押し当てていたが、撮影光軸ＯＡ方向で見て調整機構５０と第２のレンズ保持部材の第１面（第２レンズ保持枠４０の表面４０ｃ）との間において、第１のレンズ群（第１レンズ群１１）を取り囲む全周に渡り撮影光軸ＯＡ方向で第１のレンズ保持部材（第１レンズ保持枠３０）に押し当てられていればよく、上記した各実施例に限定されるものではない。
【０１００】
上記した各実施例では、調整機構５０において、径方向弾性部材５２が第１レンズ保持枠３０（その保持筒部３１の外周面３１ｂ）を両偏芯カム５１（その外周面５１ｂ）へ向けて押す構成とされていたが、第１のレンズ保持部材（第１レンズ保持枠３０）の外周面（外周面３１ｂ）を両偏芯カム５１の外周面５１ｂに押し当てるべく、第２のレンズ保持部材（第２レンズ保持枠４０）に対して第１のレンズ保持部材を撮影光軸ＯＡに直交する方向へ向けて押す力を当該第１のレンズ保持部材に付与するものであれば、例えば、第１のレンズ保持部材を両偏芯カム５１側へ向けて引っ張るものであってもよく、上記した各実施例に限定されるものではない。
【０１０１】
上記した実施例１および実施例２では、調芯作業およびその調芯状態での固定作業を行った後にカバー部材２６を取り付ける構成とされていたが、実施例３のカバー部材２６Ｃのように蓋板部２６ｂ調整穴２６ｄを設ける構成のカバー部材を用いて、そのカバー部材を取り付けた後に調芯作業およびその調芯状態での固定作業を行うものとしてもよく、上記した実施例１および実施例２に限定されるものではない。このような構成とする場合、外観品質の向上の観点から、実施例３の被覆板２８のような被覆板を取り付けることが望ましい。
【０１０２】
上記した各実施例では、調整機構５０において、偏芯カム５１が螺旋状の外周面５１ｂを有する構成とされていたが、軸穴５１ａ（その軸線）を基準とする外周面５１ｂまでの間隔が軸穴５１ａ（軸線）を中心とする回転方向で見た位置に応じて漸次変化するものであれば、例えば、円形状の外周面を有する円板部材であって中心から偏った位置に回転軸（軸穴）が設けられているものであってもよく、上記した各実施例に限定されるものではない。
【０１０３】
上記した実施例２および実施例３では、カバー部材２６（２６Ｃ）と第２レンズ保持枠４０（４０Ｃ）との間にそれらとは別部材である軸方向弾性部材５３が設けられていたが、その軸方向弾性部材は、撮影光軸ＯＡ方向に沿って第１のレンズ保持部材（第１レンズ保持枠３０）を第２のレンズ保持部材の第１面（第２レンズ保持枠４０の表面４０ｃ）に向けて押すものであれば、いずれか一方に一体的に構成されていてもよく、上記した実施例２および実施例３に限定されるものではない。
【０１０４】
上記した各実施例では、デジタルカメラ１にレンズ鏡胴１０が搭載されていたが、カメラ機能を組み込んだＰＤＡ（ｐｅｒｓｏｎａｌ  ｄａｔａ  ａｓｓｉｓｔａｎｔ）や携帯電話機等の携帯型情報端末装置に搭載されていてもよく、上記した各実施例に限定されるものではない。これは、このような携帯型情報端末装置も外観は若干異にするもののデジタルカメラ１と実質的に全く同様の機能・構成を含んでいるものが多いことによる。同様に、本発明に係るレンズ鏡胴１０を画像入力装置に採用してもよい。
【０１０５】
以上、本発明のレンズ鏡胴およびそれを用いた撮像装置を各実施例に基づき説明してきたが、具体的な構成については各実施例に限られるものではなく、本発明の要旨を逸脱しない限り、設計の変更や追加等は許容される。
【符号の説明】
【０１０６】
１  （撮像装置の一例としての）デジタルカメラ
１０、１０Ｂ、１０Ｃ  レンズ鏡胴
１１  （第１のレンズ群の一例としての）第１レンズ群
１２  （第２のレンズ群の一例としての）第２レンズ群
２５  シート部材
２６、２６Ｃ  カバー部材
２６ｃ  撮影開口
２６ｄ  調整穴
２８  被覆板
３０  （第１のレンズ保持部材の一例としての）第１レンズ保持枠
３１ｂ  （第１のレンズ保持部材の外周面一例としての）外周面
３２  フランジ部
３３、３３Ｂ  突出縁部分
４０、４０Ｃ  （第２のレンズ保持部材の一例としての）第２レンズ保持枠
４０ｃ  （第１面の一例としての）表面
４１  位置決め部
４４  環状壁部
５０  調整機構
５１  偏芯カム
５１ｂ  外周面
５２  径方向弾性部材
５３  軸方向弾性部材
ＯＡ  撮影光軸
【先行技術文献】
【特許文献】
【０１０７】
【特許文献１】特開２００７−１３９９４７号公報
【図１】
2013061513.tif 000003
【図２】
2013061513.tif 000004
【図３】
2013061513.tif 000005
【図４】
2013061513.tif 000006
【図５】
2013061513.tif 000007
【図６】
2013061513.tif 000008
【図７】
2013061513.tif 000009
【図８】
2013061513.tif 000010
【図９】
2013061513.tif 000011
【図１０】
2013061513.tif 000012
【図１１】
2013061513.tif 000013
【図１２】
2013061513.tif 000014
【図１３】
2013061513.tif 000015
【図１４】
2013061513.tif 000016